(57)【特許請求の範囲】
【請求項１】
容器であって、ハウジングと、フレキシブルな収容袋と、蓋と、シュリンク包装フィルムと、少なくとも１つのタブと、を備え、
前記ハウジングは、側壁と、ハウジング第１端部と、ハウジング第２端部と、を含み、
前記フレキシブルな収容袋は、前記ハウジング内にあり、
前記蓋は、ハウジング第１端部にのせられ、前記フレキシブルな収容袋の少なくとも一部は、前記蓋と前記ハウジング第１端部との間に保持され、
前記シュリンク包装フィルムは、前記ハウジングの少なくとも一部と前記蓋の少なくとも一部とを囲み、前記シュリンク包装フィルムは、前記蓋を前記ハウジングに固定し、
前記少なくとも１つのタブは、前記ハウジング第２端部から延び、前記少なくとも１つのタブは、側壁に垂直な底面を定め、前記シュリンク包装フィルムは、前記少なくとも１つのタブの少なくとも一部を囲み、前記少なくとも１つのタブと前記シュリンク包装フィルムとは、前記底面に沿って底パネルを前記ハウジング内に保つ、容器。
【請求項２】
請求項１の容器であって、前記ハウジングは、紙の単一のシートから形成されている、容器。
【請求項３】
請求項１の容器であって、前記フレキシブルな収容袋の少なくとも２つの部分が、前記蓋と前記ハウジング第１端部との間に固定されている、容器。
【請求項４】
請求項１の容器であって、前記蓋は、前記フレキシブルな収容袋へのアクセスを提供する開口を含んでいる、容器。
【請求項５】
請求項１の容器であって、前記シュリンク包装フィルムの外表面に取り外し可能に接続されたストローをさらに備え、前記ストローは、前記シュリンク包装フィルムと前記フレキシブルな収容袋とを貫通するように構成されている、容器。
【請求項６】
請求項１の容器であって、フレキシブルな収容袋内の液体をさらに備え、液体の量は、フレキシブルな収容袋の収容容量未満である、容器。
【請求項７】
請求項１の容器であって、前記ハウジングは、折り畳めるボール紙で作られている、容器。
【請求項８】
請求項１の容器であって、前記フレキシブルな収容袋は、高分子材料で作られている、容器。
【請求項９】
請求項１の容器であって、前記ハウジングの断面形状は、八角形である、容器。
【請求項１０】
容器を形成する方法であって、前記方法は、
側壁と、ハウジング第１端部と、ハウジング第２端部と、を含むハウジングを形成することと、
フレキシブルな収容袋を前記ハウジングに挿入することと、
前記ハウジング第１端部に前記蓋をのせることであって、前記蓋が、前記フレキシブルな収容袋の少なくとも一部を前記ハウジング第１端部と前記蓋との間に固定することと、
前記シュリンク包装フィルムを前記ハウジングの少なくとも一部と前記蓋の少なくとも一部との周りにヒートシールすることによって、前記蓋を前記ハウジングに固定することと、
前記シュリンク包装フィルムを前記少なくとも１つのタブの少なくとも一部の周りにヒートシールすることによって、前記底面に沿って底パネルを前記ハウジング内に保つことと、
を含み、
前記容器は、前記ハウジング第２端部から延びる少なくとも１つのタブをさらに備え、前記少なくとも１つのタブは、側壁に垂直な底面を定める、方法。
【請求項１１】
請求項１０の方法であって、前記ハウジングは、紙の単一のシートを折り畳むことによって形成されている、方法。
【請求項１２】
請求項１０の方法であって、前記フレキシブルな収容袋の少なくとも２つの部分が、前記蓋と前記ハウジング第１端部との間に固定されている、方法。
【請求項１３】
請求項１０の方法であって、前記蓋は、前記フレキシブルな収容袋へのアクセスを提供する開口を含んでいる、方法。
【請求項１４】
請求項１０の方法であって、ヒートシールされた前記シュリンク包装フィルムの外表面にストローを取り外し可能に取り付けることを含み、前記ストローは、前記シュリンク包装フィルムと前記フレキシブルな収容袋とを貫通するように構成される、方法。
【請求項１５】
請求項１０の方法であって、前記フレキシブルな収容袋は、液体を含み、前記液体の量は、前記フレキシブルな収容袋の収容容量未満である、方法。
【請求項１６】
請求項１０の方法であって、前記ハウジングは、折り畳めるボール紙で作られている、方法。
【請求項１７】
請求項１０の方法であって、前記フレキシブルな収容袋は、高分子材料で作られている、方法。
【請求項１８】
請求項１０の方法であって、前記ハウジングの断面形状は、八角形である、方法。
【発明の詳細な説明】
【技術分野】
【０００１】
関連出願への相互参照
本願は、２０１３年１０月２４日に出願された米国非仮出願第１４／０６２，７６０号を、参照により組み込み、その優先権を主張する。
【０００２】
本主題は、環境に優しい液体包装容器に概ね関する。
【背景技術】
【０００３】
現在のところ、世界は約２００，０００，０００，０００プラスチックボトルおよびほぼ同じ数の無菌包装容器を１年に使用している。世界中で、平均で、プラスチックボトルの１５％だけがリサイクルされている。さらに、アメリカ合衆国におけるリサイクルボトルは、アメリカ・プラスチック協会によると全リサイクル材の２０‐２９％の割合だけを占める。非リサイクルボトルは、埋め立てまたは未収集のごみとして終わる。
【０００４】
再生されるまたは減らされる１トンのプラスチックごとに、ほぼ２トンの二酸化炭素排出量が省かれる。１トンの再生プラスチックは、米下院エネルギー独立および地球温暖化特別委員会によると５，７７４キロワットの電気および６８５ガロンの石油を削減する。加えて、ボトルに使用される一般的なプラスチックであるポリエチレン・テレフタレート（ＰＥＴ）ボトルを置き換えることによって、１バレルのガソリンが削減される。
【０００５】
プラスチックボトルに用いられるプラスチックの量を減らそうとする試みにもかかわらず、平均的な１６オンス（ｏｚ．）のプラスチックボトルは、約１６グラムの重さがある。最も軽量の１６ｏｚ．のプラスチックボトルは、約９．２グラムの重さがある。しかしながら、そのようなプラスチックボトルは、製造するために高価な設備を必要とする。
【発明の概要】
【発明が解決しようとする課題】
【０００６】
従って、飲料包装の環境影響を少なくするのに役立つ、環境を壊さず利用可能で環境に優しい解決策である、新しい製品が必要である。加えて、温室効果を減少させ、より多くの埋め立てごみ廃棄場所の必要性を低減し、および主に再生可能原料を使用する、製品が必要である。製品は、容易に大量生産される必要があり、小額の投資および小さい生産空間を要する必要があり、スケーラブルであり得る生産と、標準プラスチックボトルおよび他の液体容器包装に対抗する価格と、を有する必要がある。
【課題を解決するための手段】
【０００７】
本開示は、非炭酸液体用の環境に優しい液体容器を提供する。容器の様々な例を、本明細書に記載する。
【０００８】
開示される液体容器は、紙製ハウジング、薄いプラスチック蓋、およびシュリンク包装フィルムの単層から、大部分は作られ、それによって、従来のプラスチックボトルより使用するプラスチックおよびリサイクル不可能な原料が最大で７０％まで少ない容器をもたらす。環境に優しいことに加えて、原料の削減は、費用効果的でもあり、従来の飲料容器より軽い製品をもたらす。例では、液体容器は、プラスチックの５．５グラムしか使用しない。
【０００９】
本開示は、側壁と、ハウジング第１端部と、ハウジング第２端部と、を含むハウジングを備える容器を提供する。容器は、ハウジング内のフレキシブルな収容袋と、ハウジング第１端部にのせられた蓋と、も含み、フレキシブルな収容袋の少なくとも一部は、蓋とハウジング第１端部との間に保持される。加えて、容器は、ハウジングの少なくとも一部と蓋の少なくとも一部とを囲むシュリンク包装フィルムを含み、シュリンク包装フィルムは、蓋をハウジングに固定する。
【００１０】
容器は、ハウジング第２端部から延びる少なくとも１つのタブをさらに含んでよく、少なくとも１つのタブは、側壁に垂直な底面を定める。シュリンク包装フィルムは、少なくとも１つのタブの少なくとも一部を囲んでよく、少なくとも１つのタブとシュリンク包装フィルムとは、底面に沿って底パネルをハウジング内に保つ。
【００１１】
ハウジングは、紙の単一のシートから形成される。例では、ハウジングは、折り畳めるボール紙で作られている。加えて、ハウジングの断面形状は、八角形である。
【００１２】
例では、フレキシブルな収容の少なくとも２つの部分は、蓋とハウジング第１端部との間に固定される。フレキシブルな収容袋は、高分子材料で作られてよい。さらに、蓋は、フレキシブルな収容袋へのアクセスを提供する開口を含んでよい。
【００１３】
容器は、ハウジングまたはシュリンク包装フィルムの外表面に取り外し可能に接続されたストローも含んでよく、ストローは、シュリンク包装フィルムとフレキシブルな収容袋とを貫通するように構成される。
【００１４】
例では、容器は、フレキシブルな収容袋内の液体を含んでよく、液体の量は、フレキシブルな収容袋の収容容量未満である。
【００１５】
本開示は、容器を形成する方法も提供し、本方法は、側壁と、ハウジング第１端部と、ハウジング第２端部と、を含むハウジングを形成することと、フレキシブルな収容袋をハウジングに挿入することと、を含む。本方法は、ハウジング第１端部に蓋をのせることであって、蓋が、フレキシブルな収容袋の少なくとも一部をハウジング第１端部と蓋との間に固定することと、シュリンク包装フィルムをハウジングの少なくとも一部および蓋の少なくとも一部の周りにヒートシールすることによって、蓋をハウジングに固定することと、も含む。
【００１６】
容器は、ハウジング第２端部から延びる少なくとも１つのタブをさらに含んでよく、少なくとも１つのタブは、側壁に垂直な底面を定める。シュリンク包装フィルムは、少なくとも１つのタブの少なくとも一部を囲んでよく、少なくとも１つのタブとシュリンク包装フィルムとは、底面に沿って底パネルをハウジング内に保つ。
【００１７】
ハウジングは、紙の単一のシートを折り畳むことによって形成されてよい。例では、ハウジングは、折り畳めるボール紙で作られる。さらに、ハウジングの断面形状は、八角形であってよい。
【００１８】
フレキシブルな収容袋は、高分子材料で作られてよい。例では、フレキシブルな収容袋の少なくとも２つの部分が、蓋とハウジング第１端部との間に固定される。さらに、フレキシブルな収容袋は、液体を含んでよく、液体の量は、フレキシブルな収容袋の収容容量以下である。
【００１９】
例では、蓋は、フレキシブルな収容袋へのアクセスを提供する開口を含む。本方法は、ヒートシールされたシュリンク包装フィルムの外表面にストローを取り外し可能に取り付けることを含んでよく、ストローは、シュリンク包装フィルムおよびフレキシブルな収容袋を貫通するように構成される。
【００２０】
本容器および方法の利点は、液体包装の環境影響を低減することである。
【００２１】
本容器および方法のさらなる利点は、従来のプラスチックボトルに比べて埋め立てごみ廃棄場所および温室効果ガス排出を減らすことである。
【００２２】
本容器および方法の別の利点は、包装された液体用の費用効果的な製造工程を提供することである。
【００２３】
例のさらなる目的、利点および新たな特徴は、一部は次に続く記載に示され、一部は次に続く記載および添付図面の検査によって当業者に明らかになる、または例の実施または生産によって習得可能である。概念の目的および利点は、特に添付の「特許請求の範囲」で挙げられた、方法、手段、および組み合わせによって、実現および達成可能である。
【００２４】
描画図は、限定としてではなく、ほんの一例として、本概念に従った１つ以上の実施を図示する。図において、同種の符号は、同一のまたは同様の要素を指している。
【図面の簡単な説明】
【００２５】
【図１】本明細書で開示される容器の実施形態の透視図である。
【図２Ａ】ハウジング内部に位置するフレキシブルな収容袋の例の透視図であり、フレキシブルな収容袋の一部がハウジングの外表面上にある。
【図２Ｂ】ハウジング第１端部の上方に位置する蓋の例の透視図であり、フレキシブルな収容袋の一部が、蓋とハウジング第１端部との間に保持されている。
【図２Ｃ】容器の実施形態の透視図であり、シュリンク包装フィルムが、蓋をハウジングに固定している。
【図３】容器の例の分解図である。
【図４】タブを含むハウジングの底面透視図であり、底パネルが、ハウジングの側壁に掛けられている。
【図５】底面の方へハウジングの中で押されている底パネルの上面透視図である。
【図６】タブを含むハウジングの底面透視図であり、底パネルが、底面でタブに接触している。
【図７Ａ】再利用可能な部品への容器の分解の図解である。
【図７Ｂ】再利用可能な部品への容器の分解の図解である。
【図７Ｃ】再利用可能な部品への容器の分解の図解である。
【図７Ｄ】再利用可能な部品への容器の分解の図解である。
【図８】蓋の実施形態の透視図である。
【発明を実施するための形態】
【００２６】
本開示は、環境に優しい液体容器１０を提供し、容器部品（部品の寸法および形状を含む）は、容器１０および最終的な容器１０製品を作る原料について原料および輸送費を最小限に抑えるよう意図されている。容器１０は、非炭酸飲料用である。本明細書で開示される容器１０は、他の環境に優しい液体容器より使用するプラスチックおよびリサイクル不可能な原料が最大で７０％まで少ない。容器１０は、永続的なボンディングまたは接着剤を典型的に含むこともなく、従って、容器が使用された後に容易に分けられることができ、リサイクル処理を簡略化するようになっている。そのようなものとして、容器１０は、標準的な廃棄物収集構造を使用してよく、既存のリサイクルシステムを完全に利用できる。さらに、本明細書に記載される例は、全ての適用食品関連法規に適合する。
【００２７】
実施形態では、図１に示されているように、容器１０は、側壁１４と、ハウジング第１端部１６と、ハウジング第２端部１８と、を含むハウジング１２を含む。ハウジング１２は、任意の適切な材料で作られてよい。しかし、本明細書に記載される利点は、再利用可能および生物分解可能である製品を使用して最も良く達成される。例えば、ハウジング１２は、折り畳めるボール紙、サトウキビパルプ、コーンパルプ、その組み合わせ、または他の紙製品、で作られてよい。代替的に、ハウジング１２は、薄いプラスチック、アルミニウム等から、作られてよい。
【００２８】
ハウジング１２は、ハウジング材を平面形態から３次元形状に折ることによって、形成されてよい。例えば、ハウジング１２は、紙の単一のシートを管状形または様々な断面形状のいずれかに折ることによって、形成されてよい。例えば、ハウジング１２は、円形の、三角形の、長方形の、六角形の、八角形のまたは他のシリンダーであってよい。３次元ハウジング１２は、最小の接着剤量を使用して、または、ある特定の状況では、接着剤なしで、安定させることができる。例えば、ハウジング１２は、満たされたフレキシブルな収容袋２０とシュリンク包装フィルム２４との対向する力が、ハウジング１２の少なくとも２つの端部を互いに固定して、３次元形状を形成するときに、接着剤を必要としなくてよい。代替的に、ハウジング材の２つの端部は、接着剤を含んでよく、ハウジング材が、３次元形状を形成するように２つの端部を接続するように折られるときに、接着剤は、２つの端部間の接続を維持し、３次元構造を安定させるのを助けるようになっている。
【００２９】
ハウジング１２の断面形状は、ハウジング１２の高さにわたって変化がなくてよい。言い換えれば、ハウジング第１端部１６の断面積および形状は、ハウジング第２端部１８のそれと同じであってよい。代替的に、ハウジング１２は、ハウジング第１端部１６の断面積がハウジング第２端部１８の断面積より大きいまたは小さくなるように、先細になってよい（すなわち、ハウジング１２は円錐形であってよい）。図に示されている例では、ハウジング１２は円筒形であり、ハウジング１２の断面形状は八角形である。しかしながら、任意の適切な形状がハウジング１２の断面積を形作ってよいことが、理解されるべきであり、特に、三角形、正方形、長方形、ダイヤモンド、五角形、六角形、七角形、および円形、を含むがこれらに限定されない。
【００３０】
上記のように、容器１０は、図２Ａに示されているように、ハウジング１２内にフレキシブルな収容袋２０も入っている。フレキシブルな収容袋２０は、任意の適切な材料で作られてよく、プラスチックまたは他の高分子材料（様々なポリマーブレンド、またはその組み合わせを含む）を含むがこれらに限定されない。フレキシブルな収容袋２０は、フレキシブルな収容袋２０が液体を漏れることなく収容できるが、ストローがフレキシブルな収容袋２０に穴を開けることができるような、厚さおよび耐久性を有する。
【００３１】
先ほど述べたように、容器１０は、フレキシブルな収容袋２０内に収容された液体を含んでよく、液体の量は、フレキシブルな収容袋２０の収容容量以下であり得る。典型的に、液体の量は、フレキシブルな収容袋２０の全容積の９５％以下を占める。代替的に、液体の量は、フレキシブルな収容袋２０の全容積の９０％以下、８５％以下、または８０％以下、を占めてよい。フレキシブルな収容袋２０は、任意の適切な寸法であってよい。例えば、フレキシブルな収容袋２０は、特に、８オンス（ｏｚ．），１２ｏｚ．，１６ｏｚ．，２０ｏｚ．または２４ｏｚ．を保持可能であってよい。同様に、ハウジング１２は、様々な寸法および形状であってよい。さらに、「液体」という用語は、典型的にストロー３０を通過し得る粘度である、様々な粘度を有する様々な物質を包含することを意図されている。例えば、この開示で「液体」という用語は、特に、水、非炭酸飲料、スポーツドリンク、栄養ドリンク、スムージー、ベビーフード、ピューレ状食品、スープ、牛乳、ミルクセーキ、コーヒー飲料、茶、ジュース、サラダドレッシング、グレービー、ブロス、および調味料（ケチャップ、マスタード、マヨネーズなど）、を含むがこれらに限定されない。
【００３２】
容器１０は、ハウジング第１端部１６の上方に位置する蓋２２も含み、図２Ｂに示されているように、フレキシブルな収容袋２０の少なくとも一部は、蓋２２とハウジング第１端部１６との間に保持される。例では、フレキシブルな収容袋２０の少なくとも２つの部分が、蓋２２とハウジング第１端部１６との間に固定される。蓋２２は、適切な材料で作られてよい。典型的に、蓋２２は、薄い、プラスチック材料で作られてよい。しかしながら、蓋２２は、特に、アルミニウム、高分子材料、高分子材料の様々な混合で、作られてよい。さらに、蓋２２は、特に、サトウキビパルプ、コーンパルプ、紙パルプ、およびその組み合わせ、で作られてよい。蓋２２の形状は、蓋２２をハウジング第１端部１６に取り外し可能に取り付けることができるようにする任意の適切な形状であってよい。図２Ｂに示されている例では、蓋２２は、ハウジング１２の断面形状と同じ形状である。さらに、蓋２２は、フレキシブルな収容袋２０へのアクセスを提供する開口２８を含んでよい。図２Ｂに示されているように、開口２８は円形であってよい。
【００３３】
図８に示されている蓋２２の特別な設計によって、強くて硬い蓋２２を形成するのに非常に薄いプラスチックを使用できる。蓋２２は、ハウジング１２の側壁１４が崩れるのを防ぐことによって、容器１０の構造的完全性を維持する。蓋２２は、外縁３４および内縁３６を含んでよい。外縁３４は、蓋２２がハウジング１２に容易に接続するように典型的にわずかに外方へ広がっている。内縁３６も同じく広がってよい。加えて、ある実施形態では、内縁３６は、波形形状（例えば、一連の凹部３８を含む）であってよく、ハウジング１２への蓋２２のグリップを向上させるようになっている、および、ハウジング１２から蓋２２が外れるようにすることを引き起こしかねない側壁１４のあらゆる運動を、吸収するばねとして働くようになっている。
【００３４】
蓋２２の開口２８は、円形壁４０を含んでよく、円形壁４０は、ストロー３０がフレキシブルな収容袋２０の上で滑ることなく、ユーザーがフレキシブルな収容袋２０の表面をストロー３０で穴を開けるのに役立つ。主に、円形壁４０は、ハウジング１２の本体に広がり、フレキシブルな収容袋２０の上面に沿って接触する。そうすることで、フレキシブルな収容袋２０の最上部での材料が、ストロー３０で穴を開けるのがさらに容易になるように、保持される。加えて、円形壁４０は、ユーザーがフレキシブルな収容袋２０に穴を開けようと試みているときに、視覚的におよび物理的に、ストロー３０を導く。
【００３５】
加えて、容器１０は、ハウジング１２の少なくとも一部および蓋２２の少なくとも一部を囲むシュリンク包装フィルム２４を含み、シュリンク包装フィルム２４は、蓋２２をハウジング１２に固定する。シュリンク包装フィルム２４は、接着剤または他の接続機構（特に、テープ、糊、クリップ、または留め具など）を使用せずに、ハウジング１２に蓋２２およびフレキシブルな収容袋２０を本質的に固定する。容器１０は様々な要素を互いに固定するのに接着剤を使用しないので、容器は、容器が使用された後に既存のリサイクル可能な製品に容易に分類できる。例えば、シュリンク包装フィルム２４が取り除かれると、蓋２２、フレキシブルな収容袋２０、およびハウジング１２は、結合していなくなり、従って様々な要素をリサイクルのために容易に分類可能にする。例えば、シュリンク包装フィルム２４、蓋２２、およびフレキシブルな収容袋２０は、プラスチック容器にリサイクルされてよいが、ハウジング１２は、様々な要素を分けるのに必要な最小の労力で、紙容器にリサイクルされてよい。
【００３６】
加えて、シュリンク包装フィルム２４は、水分からハウジング１２を保護する。これは、ハウジング１２が水分にさらされたときに損傷を受けやすいおよび／または脆弱になりやすい紙製品から作られているときに、特に重要である。
【００３７】
図４に示されているように、容器１０は、ハウジング第２端部１８から延びる少なくとも１つのタブ２６をさらに含んでよい。典型的に、タブ２６は、ハウジング第２端部１８に折り畳み可能に接続される。組み立て用の形に折ったとき、少なくとも１つのタブ２６は、側壁１４に垂直な底面を定める。タブ２６は、ハウジング１２と同じまたは異なる材料で作られてよい。さらに、タブ２６の形状は、任意の適切な形状であってよい。例えば、タブ２６は、少なくとも２つタブ２６を重ね合わせることによって形成されてよい。
【００３８】
図５に示されているように、容器は、底パネル３２を含んでよく、底パネル３２は、ハウジング第１端部１６からハウジング第２端部１８に挿入されてよい。底パネル３２は、ハウジング１２と同じまたは異なる材料で作られてよい。一例では、底パネル３２は、段ボールで作られ、容器１０の内側からハウジング１２側壁１４に構造的完全性を提供するのに役立つようになっている。
【００３９】
例えば、底パネル３２は、比較的厚い（例えば、５ｍｍ）段ボールから作られてよく、それは、底が組み立てられた容器１０に剛性を加える。強化された底パネル３２がなければ、容器１０は、流通、仕入れ、販売、および最終用途で必要とされる厳しい使用に持ちこたえることができないかもしれない。強化された底パネル３２は、ハウジング１２の内側から側壁１４を適切に支えることによって、容器１０の耐圧性を高めることができる。
【００４０】
図６に示されているように、底パネル３２は、少なくとも１つのタブ２６によって定められる側壁１４に垂直な底面に沿ってまたは隣接して位置してよい。組み立てられた形態で、少なくとも１つのタブ２６は、底パネル３２をハウジング１２内で安定させることができる。さらに、シュリンク包装フィルム２４は、少なくとも１つのタブ２６を囲んでよく、タブ２６とシュリンク包装フィルム２４との組み合わせは、協働して底面に沿って底パネル３２をハウジング内に保つ。言い換えれば、シュリンク包装フィルム２４と少なくとも１つのタブ２６とは、容器１０の構造的完全性に、最小の接着剤量を要するまたは接着剤を要しないように、底パネル３２を固定する。さらに、ハウジング１２と蓋２２との間および底パネル３２とタブ２６との間に接着剤または他の留め具がないことによって、環境に優しい容器１０がもたらされ、その部品は、リサイクル目的で容易に分離可能である。加えて、底パネル３２は、ほとんどの従来の箱および容器が必要とするような高価な折り曲げ機器の使用を、必要としない。
【００４１】
記述されているように、底パネル３２と、タブ２６（または複数のタブ２６）と、シュリンク包装フィルム２４と、の間の相互作用は、接着剤を使用しないで複数の部品を使用して安定した容器１０を作り出す。底パネル３２は、側壁１４に構造的支持を提供し、シュリンク包装フィルム２４は、タブ２６（または複数のタブ２６）と協働して底パネル３２を所定位置に位置付けて保つ。この特有の構造は、容器の多くの変形の基礎を、本明細書に記載された容器１０の他の要素と組み合わせられるかどうかを問わず、構成できると考えられる。例えば、本明細書に記載された容器１０のある実施形態では、容器１０の構造的完全性は、シュリンク包装フィルム２４を頼りにせず、代わりに、シュリンク包装フィルム２４なしで、ハウジング１２、底パネル３２、１つ以上のタブ２６，および蓋２２だけの構成によって十分に提供されると考えられる。別の例では、容器１０の実施形態はハウジング１２を含んでよく、底パネル３２が、シュリンク包装フィルム２４なしで１つ以上のタブ２６によって場所に保持される。そのような実施形態は、容器１０の中身がその構造を維持するのに役立ち、それは、ハウジング１２と底パネル３２との間の安定した嵌め合いを確かにするのを助ける。
【００４２】
容器１０は、シュリンク包装フィルム２４の外表面に取り外し可能に接続されたストロー３０も含んでよく、ストロー３０は、シュリンク包装フィルム２４を貫通し、蓋２２の開口２８の中を進み、フレキシブルな収容袋２０を刺すように、構成される。ストロー３０は、シュリンク包装フィルム２４から取り外せる薄いフィルムで包み込まれてよい。ストロー３０の長さは、ストロー３０が挿入されたらフレキシブルな収容袋２０の全体にアクセスするように、伸縮可能であってよい。
【００４３】
本開示は、容器１０を形成する方法も提供し、本方法は、側壁１４と、ハウジング第１端部１６と、ハウジング第２端部１８と、を含むハウジング１２を、形成することを含む。ハウジング１２は、手または自動組立ライン工程の一部によって、紙などの材料の単一のシートを３次元構造に折ることによって形成されてよい。
【００４４】
本方法は、フレキシブルな収容袋２０をハウジング１２に挿入することをさらに含む。フレキシブルな収容袋２０は、液体を収容してよい。代替的に、フレキシブルな収容袋２０は、ハウジング１２に空で挿入され、続いて液体で満たされてシールされる。
【００４５】
本方法は、ハウジング第１端部１６に蓋２２をのせることも含み、蓋２２は、フレキシブルな収容袋２０の少なくとも一部をハウジング第１端部１６と蓋２２との間に固定する。加えて、蓋２２は、シュリンク包装フィルム２４をハウジング１２の少なくとも一部および蓋２２の少なくとも一部の周りにヒートシールすることによって、ハウジング１２に固定される。
【００４６】
本方法は、ヒートシールされたシュリンク包装フィルム２４の外表面にストロー３０を取り外し可能に取り付けることをさらに含んでよく、ストロー３０は、シュリンク包装フィルム２４とフレキシブルな収容袋２０とを貫通するように構成される。
【００４７】
図７Ａ‐７Ｄによって示されているように、本明細書に開示される容器１０は、リサイクルのために別々の要素に容易に分解される。図７Ａに示されているように、シュリンク包装フィルム２４は、ハウジング１２から分離されてよい。図７Ｂは、ストロー３０、蓋２２、およびフレキシブルな収容袋２０が、ハウジング１２から容易に分離されることを示す。図７Ｃ‐７Ｄは、リサイクル目的で、ストロー３０、蓋２２、およびフレキシブルな収容袋２０を、ハウジング１２から分離することを示す。容器１０は、シュリンク包装フィルム２４と、ハウジング１２と、蓋２２と、フレキシブルな収容袋２０と、の間に接着剤または他の永続的な締結機構を使用しないので、部品は、複雑化および実質的な労力なしで、再利用可能な要素に容易に分けられる。
【００４８】
本明細書に記載された実施形態への様々な変更および修正が当業者に明らかであることに注意すべきである。本発明の趣旨および範囲から逸脱することなく、およびそれが伴う利点を減らすことなく、そのような変更および修正が可能である。例えば、本発明の様々な実施形態および携帯型電子機器が、本明細書に記載された主題からの特徴および機能の様々な組み合わせに基づいて提供されてよい。
【図１】
0006629742.tif 000002
【図２Ａ】
0006629742.tif 000003
【図２Ｂ】
0006629742.tif 000004
【図２Ｃ】
0006629742.tif 000005
【図３】
0006629742.tif 000006
【図４】
0006629742.tif 000007
【図５】
0006629742.tif 000008
【図６】
0006629742.tif 000009
【図７Ａ】
0006629742.tif 000010
【図７Ｂ】
0006629742.tif 000011
【図７Ｃ】
0006629742.tif 000012
【図７Ｄ】
0006629742.tif 000013
【図８】
0006629742.tif 000014